(57)【要約】【課題】  月桃エキスなどでは、蒸留処理により得られる精油分が非常に少ない、製造コストが高くなる、などの問題があった。【解決手段】  月桃の葉と茎を採取し、洗浄後、細断処理し、該乾燥物を蒸留処理することにより得られる蒸留液の製造方法であり、前記の細断処理は、細断片が１．５〜２．０ｃｍであり、前記の乾燥処理は、乾燥度が２５〜４０％であり、前記の蒸留処理は、蒸留釜の底部に水をいれ、その上部に乾燥物をセットし、１４０〜１６０℃に加熱してその蒸気により蒸留するものであり、蒸気の蒸留方法により得られた蒸留液を静置し、上部の油分を分離した残りの蒸留水溶液を用いたことを特徴とする農業資材、化粧品、消臭剤、芳香剤、殺菌剤、薬品であり、前記の蒸留処理の蒸留残渣液を用いたことを特徴とする染色材、農業資材である。【特許請求の範囲】
【請求項１】
月桃の葉と茎を採取し、洗浄後、細断処理し、乾燥処理し、該乾燥物を蒸留処理することにより得られる蒸留液の製造方法。
【請求項２】
前記の細断処理は、細断片が１．５〜２．０ｃｍであることを特徴とする請求項１に記載の蒸留液の製造方法。
【請求項３】
前記の乾燥処理は、乾燥度が２５〜４０％であることを特徴とする請求項１又は請求項２に記載の蒸留液の製造方法。
【請求項４】
前記の蒸留処理は、蒸留釜の底部に水を入れ、その上部に乾燥物をセットし、１４０〜１６０℃に加熱してその蒸気により蒸留することを特徴とする請求項１から請求項３までのいずれかの項に記載の蒸留液の製造方法。
【請求項５】
前記の月桃の葉及び茎に換えて、シークワーサーの果皮、タンカンの果皮、パイナップルの果皮の搾汁残渣を用いたことを特徴とする請求項１から請求項４までのいずれかの項に記載の蒸留液の製造方法。
【請求項６】
前記の請求項１から請求項５までのいずれかの項に記載の蒸留方法により得られた蒸留液を静置し、上部の油分を分離した残りの蒸留水溶液を用いたことを特徴とする農業資材。
【請求項７】
前記の請求項１から請求項５までのいずれかの項に記載の蒸留方法により得られた蒸留液を静置し、上部の油分を分離した残りの蒸留水溶液を用いたことを特徴とする化粧品。
【請求項８】
前記の請求項１から請求項５までのいずれかの項に記載の蒸留方法により得られた蒸留液を静置し、上部の油分を分離した残りの蒸留水溶液を用いたことを特徴とする消臭剤、芳香剤、殺菌剤。
【請求項９】
前記の請求項１から請求項５までのいずれかの項に記載の蒸留処理の蒸留残渣液を用いたことを特徴とする薬品。
【請求項１０】
前記の請求項１から請求項５までのいずれかの項に記載の蒸留処理の蒸留残渣液を用いたことを特徴とする染色材。
【請求項１１】
前記の請求項１から請求項５までのいずれかの項に記載の蒸留処理の蒸留残渣液を用いたことを特徴とする農業資材。
【発明の詳細な説明】
【技術分野】
【０００１】本発明は、月桃、シークワーサー、タンカン、パイナップルを用いた蒸留液の製造方法に関するものである。
【背景技術】
【０００２】従来より月桃を用いた商品として月桃蒸留エキスなどが多数開発されている。【０００３】これたの月桃エキスは、月桃の葉や茎を蒸留装置で蒸留して得られた蒸留液から油分を分離した精油エキスなどである。
【特許文献１】特開２００５−１３７２１０号公報
【発明の開示】
【発明が解決しようとする課題】
【０００６】月桃エキスなどでは、蒸留処理により得られる精油分が非常に少ない、製造コストが高くなる、など問題があった。
【課題を解決するための手段】
【０００７】  本発明は、上記の問題を解決するために、本発明の請求項１では、月桃の葉と茎を採取し、洗浄後、細断処理し、乾燥処理し、該乾燥物を蒸留処理することによりえら得る蒸留液の製造方法である。
また、本発明の請求項２では、前記の細断処理は、細断片が１．５〜２．０ｃｍであるこを特徴とする蒸留液の製造方法である。
また、本発明の請求項３では、前記の乾燥処理は、乾燥度が２５〜４０％であることを特徴とする蒸留液の製造方法である。
また、本発明の請求項４では、前記の蒸留処理は、蒸留釜の底部に水をいれ、その上部に乾燥物をセットし、１４０〜１６０℃に加熱してその蒸気により蒸留することを特徴とする蒸留液の製造方法である。
また、本発明の請求項５では、前記の月桃の葉及び茎に換えて、シークワーサーの果皮、タンカンの果皮、パイナップルの果皮の搾汁残渣を用いたことを特徴とする蒸留液の製造方法である。
また、本発明の請求項６では、前記の蒸留方法により得られた蒸留液を静置し、上部の油分を分離した残りの蒸留水溶液を用いたことを特徴とする農業資材である。
また、本発明の請求項７では、前記の蒸留方法により得られた蒸留液を静置し、上部の油分を分離した残りの蒸留水溶液を用いたことを特徴とする化粧品である。
また、本発明の請求項８では、前記の蒸留方法により得られた蒸留液を静置し、上部の油分を分離した残りの蒸留水溶液を用いたことを特徴とする消臭剤、芳香剤、殺菌剤である
また、本発明の請求項９では、前記の蒸留処理の蒸留残渣液を用いたことを特徴とする薬品である。
また、本発明の請求項１０では、前記蒸留処理の蒸留残渣液を用いたことを特徴とする染色材である。
また、本発明の請求項１１では、前記の蒸留処理の蒸留残渣液をｗ用いたことを特徴とす農業資材である。
【発明の効果】
【０００８】本発明では、以下の効果を奏する
１）生の月桃、シークワーサー、パインなどに比べ、乾燥させることにより蒸留時間が短縮経費の削減が図れる。
２）原料（月桃）が少なくてすむ。
３）生の月桃に比べ、乾燥させた月桃からは数倍の精油が採取可能である。
４）各種の効能が期待できる。（にきび、アトピー、水虫、かゆみ、ダニ、ゴキブリ、菌核病、スリプス、育毛、肌荒れ、切り傷、鎮痛、招集、防虫、防菌、芳香など）。
【発明を実施するための最良の形態】
【０００９】本発明による月桃蒸留液の製造方法の実施の形態について図面を用いて説明する。【００１０】図１は、採取した月桃の葉および切断処理を示す図である。
（１）は、その日畑から収穫した月桃１を、２の細断装置に入れるところである。
（２）は、３の細断物容器に、２の細断装置にかけられて１．５ｃｍ〜２．０ｃｍに細断された月４が放出される状態を示す。【００１１】図２は、裁断した月桃裁断片を乾燥トレーに充填した状況を示す図である。
（１）は、１．５〜２．０ｃｍの大きさに細断された月桃片４を示す。
（２）は、トレー５に、細断した月桃片４を並べた状態を示す。【００１２】図３は、乾燥処理を示す図である。
（１）は、乾燥に使う、市販の温風乾燥機６である。
（２）は、細断した月桃片を入れたトレー５を、６の温風乾燥機にセットした状態を示す。【００１３】図４は、乾燥後の状態を示す図である。
（１）は、生の月桃３５ｋｇを乾燥させた乾燥月桃片８がかご７に充填された状態を示し、乾燥により、９．５ｋｇまでに減った。
（２）は、生の月桃片９を示す（３５ｋｇである。）【００１４】図５は、蒸留装置の図である。
（１）は、蒸留装置本体１０を示す。
（２）は、蒸留釜１１に水（約１０ｌ）１２を入れた状態を示す。【００１５】図６は、蒸留工程を示す図である。
（１）は、乾燥物８を充填したかご７を蒸留釜１１にセットする状態を示す。
（２）は、蒸気の冷却機１３と、冷却させ精油部分を含む蒸留処理水を受けるため受容器１４を示す。  精油部分を、分離した蒸留処理水は、タンク１５に流れる仕組みとなってる。【００１６】図７は、月桃蒸留液を示す図である。
精油部分を分離した蒸留処理水１７と、分離させ採取した精油１８と、蒸留・分離後に残った残渣１６を示す。【００１７】図８〜図１３は沖縄工業高等専門学校による、分析結果の図である。【００１８】
【図面の簡単な説明】
【図１】本発明による月桃蒸留液の製造方法の採取工程および切断工程を示す図であ
【図２】本発明による月桃蒸留液の製造方法の切断状態を示す図である。
【図３】本発明による月桃蒸留液の製造方法の乾燥工程を示す図である。
【図４】本発明による月桃蒸留液の製造方法の蒸留状態を示す図である。
【図５】本発明による月桃蒸留液の製造方法の蒸留準備工程を示す図である。
【図６】本発明による月桃蒸留液の製造方法の蒸留工程を示す図である。
【図７】本発明による月桃蒸留液を示す図である。
【図８】本発明による月桃蒸留液の沖縄工業高等専門学校による分析結果報告書（１）を示す図である。
【図９】本発明による月桃蒸留液の沖縄工業高等専門学校による分析結果報告書（２）を示す図である。
【図１０】本発明による月桃蒸留液の沖縄工業高等専門学校による分析結果報告書（３）を示す図である。
【図１１】本発明による月桃蒸留液の沖縄工業高等専門学校による分析結果報告書（４）を示す図である。
【図１２】本発明による月桃蒸留液の沖縄工業高等専門学校による分析結果報告書（５）を示す図である。
【図１３】本発明による月桃蒸留液の沖縄工業高等専門学校による分析結果報告書（６）を示す図である。
【符号の説明】
【００１９】  １月桃の葉および茎
２細断装置
３細断物容器
４細断物（月桃片）
５トレー
６温風乾燥機
７かご
８乾燥物
９生の月桃片
１０蒸留装置本体
１１蒸留釜
１２水
１３冷却機
１４受容器
１５タンク
１６残渣
１７精油部分を分離した蒸留処理水
１８精油
【図１】
2007302889.tif 000002
【図２】
2007302889.tif 000003
【図３】
2007302889.tif 000004
【図４】
2007302889.tif 000005
【図５】
2007302889.tif 000006
【図６】
2007302889.tif 000007
【図７】
2007302889.tif 000008
【図８】
2007302889.tif 000009
【図９】
2007302889.tif 000010
【図１０】
2007302889.tif 000011
【図１１】
2007302889.tif 000012
【図１２】
2007302889.tif 000013
【図１３】
2007302889.tif 000014